(57)【要約】【課題】電子部品のための改善された放熱装置を有する電気モーターを提供すること。【解決手段】電気モーターが、固定子と、固定子内に回転可能に取り付けられた回転子とを有する。固定子は、固定子コアと、固定子巻線とを含む。放熱装置が、固定子コアの外面の周りに取り付けられ、そこから熱を吸収するように構成される。放熱装置は、固定子コアの周りに取り付けられた基部と、基部から外方に半径方向に延びる複数のフィンとを含む。電子部品が、放熱装置上に取り付けられる。固定子の内部にフィン間のスロットを通る空気流を生成するために、回転子のシャフト上にファンが取り付けられ、これにより、回転子、固定子コア、固定子巻線及び電子部品が冷却される。【選択図】図１
2011244686.tif 000002
【特許請求の範囲】
【請求項１】
固定子コア及び固定子巻線を含む固定子と、
前記固定子内に回転可能に取り付けられ、シャフトを有する回転子と、
前記固定子コアの外面の周りに取り付けられ、そこから熱を吸収するように構成された放熱装置と、
該放熱装置に取り付けられる電子部品と、
を含むことを特徴とする電気モーター。
【請求項２】
前記放熱装置は、前記固定子コアの周りに取り付けられた基部と、前記基部から半径方向外方に延びる複数のフィンとを含むことを特徴とする、請求項１に記載のモーター。
【請求項３】
ファンが、前記シャフト上に取り付けられ、かつ、前記固定子コアの内部及び前記フィン間のスロットを通る空気流を生成するように構成されることを特徴とする、請求項２に記載のモーター。
【請求項４】
前記固定子の軸方向端部に配置された第１の端部キャップを含み、前記ファンは、前記第１の端部キャップの外側に隣接して配置されることを特徴とする、請求項３に記載のモーター。
【請求項５】
前記ファンに隣接した前記フィンの端部は、前記第１の端部キャップを超えて軸方向に延びて、該フィンの該端部と該第１の端部キャップとの間に受け用空間を形成し、該ファンが前記受け用空間内に配置されることを特徴とする、請求項４に記載のモーター。
【請求項６】
前記ファンの直径は、前記放熱装置の前記基部の直径より大きく、該ファンは、前記フィンから軸方向に離間配置されることを特徴とする、請求項４に記載のモーター。
【請求項７】
第２の端部キャップと、前記端部キャップを前記固定子コアに固定するための複数のロック部材とをさらに含み、前記ロック部材は、該固定子コアの内部を通って延びることを特徴とする、請求項４から請求項６のいずれかに記載のモーター。
【請求項８】
電気部品が接続される回路基板をさらに含むことを特徴とする、請求項１から請求項７のいずれかに記載のモーター。
【請求項９】
前記電子部品は、前記放熱装置上に取り付けられたトランジスタを含み、前記トランジスタのリード線は、前記回路基板に接続されることを特徴とする、請求項８に記載のモーター。
【請求項１０】
前記固定子コアの外面上に取り付けられたハウジングをさらに含み、前記放熱装置は、前記ハウジング上に取り付けられることを特徴とする、請求項１から請求項９のいずれかに記載のモーター。
【発明の詳細な説明】
【技術分野】
【０００１】
本発明は、電気モーターに関し、特定的には、放熱装置を有する電気モーターに関する。
【背景技術】
【０００２】
一般的に、ＰＭＤＣモーター及び電子整流ＤＣモーターのような小型電気モーターは、固定子と、固定子内に配置された回転子と、複数の電子部品が実装される回路基板とを含む。モーターの動作中、パワートランジスタのような電子部品は、熱を発生させる。通常、電子部品のための付加的な放熱装置が、固定子内に設けられる。しかしながら、モーターの内部空間は限られており、放熱装置のサイズ及び冷却効率が制限される。
【発明の概要】
【発明が解決しようとする課題】
【０００３】
したがって、その電子部品のための改善された放熱装置を有する電気モーターに対する要望がある。
【課題を解決するための手段】
【０００４】
したがって、本発明の一態様において、本発明は、固定子コア及び固定子巻線を含む固定子と、固定子内に回転可能に取り付けられ、シャフトを有する回転子と、固定子コアの外面の周りに取り付けられ、そこから熱を吸収するように構成された放熱装置と、放熱装置に取り付けられた電子部品とを含む電気モーターを提供する。
【０００５】
放熱装置は、固定子コアの周りに取り付けられた基部と、基部から半径方向外方に延びる複数のフィンとを含むことが好ましい。
ファンは、シャフト上に取り付けられ、かつ、固定子コアの内部及びフィン間のスロットを通る空気流を生成するように構成されることが好ましい。
【０００６】
モーターは、固定子の軸方向端部に配置された第１の端部キャップを含み、ファンは、第１の端部キャップの外側に隣接して配置されることが好ましい。
ファンに隣接するフィンの端部は、第１の端部キャップを超えて軸方向に延びて、フィンの端部と第１の端部キャップとの間に受け用空間を形成し、ファンが受け用空間内に配置されることが好ましい。
【０００７】
代替的に、ファンの直径は、放熱装置の基部の直径より大きく、ファンは、フィンから軸方向に離間配置される。
モーターは、第２の端部キャップと、端部キャップを固定子コアに固定するための複数のロック部材とをさらに含み、ロック部材は、固定子コアの内部を通って延びることが好ましい。
【０００８】
モーターは、電気部品が接続される回路基板をさらに含むことが好ましい。
電子部品は、放熱装置上に取り付けられたトランジスタを含み、トランジスタのリード線は、回路基板に接続されることが好ましい。
モーターは、固定子コアの外面上に取り付けられたハウジングを含み、放熱装置は、ハウジング上に取り付けられることが好ましい。
【０００９】
ここで、添付する図面を参照しながら、本発明の好ましい実施形態をほんの一例として説明する。図では、１つより多い図に見られる同一の構造、要素、又は部品には、それらが見られる全ての図において同じ参照番号が付けられる。一般的に、図中に示される部品及び構造部の寸法は、表示の便宜上及び表示を明確にするために選択されたものであり、必ずしも縮尺通りに描かれているわけではない。図を以下に列挙する。
【図面の簡単な説明】
【００１０】
【図１】本発明の第１の好ましい実施形態による小型電子整流モーターの等角図である。
【図２】図１のモーターの軸方向断面図である。
【図３】本発明の第２の好ましい実施形態による類似のモーターの等角図である。
【図４】本発明の第３の好ましい実施形態による類似のモーターの軸方向断面図である。
【発明を実施するための形態】
【００１１】
図１及び図２は、本発明の好ましい実施形態によるブラシレスＤＣモーターとしても知られる小型の電子整流型電気モーターを示す。ブラシレスＤＣモーターという用語は、整流子を有さず、かつ、モーター巻線に供給される電力を電子的に整流するのに、電子機器を用いてＤＣ電力により動作されるように設計された、モーターを指す。電子機器は、裁断ＤＣ波形により巻線に電力供給する。近年、電子機器によりモーター巻線に供給される電力が裁断ＤＣ波形よりも正弦波形によく似ているブラシレスＤＣモーターを指すために、ブラシレスＡＣモーターという用語が作られた。しかしながら、電子整流型モーターは、ブラシレスＡＣモーター及びブラシレスＤＣモーターの両方を含むが、ブラシレスＡＣモーターは、一般に、特別なタイプ又はサブセットのブラシレスＤＣモーターをカバーする。
【００１２】
モーターは、固定子１０と、固定子１０に対して回転可能であり、かつ、固定子１０内に収容される回転子４０とを含む。回転子４０は、シャフト４２と、シャフト４２に固定された回転子コア４４と、回転子コア４４の半径方向外面に固定された磁石４６とを含む。固定子１０は、鉄等の磁性材料で作られた固定子コア１２を含む。固定子コア１２は、ヨーク１６と、ヨーク１６から内方に延びる複数の歯とを含む。固定子巻線１４が、歯の周りに巻き付けられる。
【００１３】
放熱装置１８が、ヨーク１６の外面に設けられる。放熱装置１８は、円筒形基部１８２と、該基部１８２の外面から半径方向及び軸方向に延びる複数の離間配置されたフィン１８４とを含むことが好ましい。基部１８２は、ヨーク１６の外面上に取り付けられ、その一端に形成された１対の軸方向突出部１８６を有する。基部１８２は、ヨーク１６上に圧入されることが好ましい。
【００１４】
固定子１０は、２つの端部キャップ２０、２２と、該端部キャップ２０、２２を固定するための幾つかのロック部材２４とをさらに含む。ロック部材２４は、固定子の内部を通って延びる。ロック部材２４は、固定子コアの隣接する歯の間に形成されたそれぞれのスロットを通って延びることが好ましい。
【００１５】
モーターは、回路基板３２と、回路基板３２に接続された、パワートランジスタ３３のような複数の電子部品とをさらに含む。回路基板３２は、１つの端部キャップ２０に隣接して配置され、これに対して固定される。トランジスタ３３は、放熱装置１８の基部１８２の突出部１８６の外面に取り付けられ、トランジスタ３３のリード線３４が、回路基板３２に固定される。トランジスタは、ＭＯＳＦＥＴのような、いずれの適切なパワートランジスタとすることができる。
【００１６】
軸方向突出部１８６から遠く離れたフィン１８４の端部は、他方の端部キャップ２２を超えて軸方向に延びる。フィン１８４の端部と端部キャップ２２との間に受け用空間が形成される。ファン４８が、シャフト４２の一端に取り付けられ、受け用空間内に配置される。ファン４８は、半径方向に延びる幾つかの羽根４９を含む遠心ファンであることが好ましい。モーターが動作しているとき、ファン４８により生成される空気流は、固定子の隣接する歯の間に形成されるスロット、及び、固定子と回転子との間の空間に流入し、次に、ファン４８に隣接するモーターの端部から、ファン４８の羽根４９の間に形成された空気流路を通って流出し、これにより、回転子コア４４、磁石４６、及び巻線１４が冷却される。ファン４８から出ていく空気は、フィン１８４の端部の間に形成されたスロットを通って流れ、フィン１８４から熱を取り除く。したがって、トランジスタ３３により発生した熱が、放熱装置１８に迅速に伝えられ、次に、環境に放散される。固定子コア内で発生した熱は、放熱装置１８を通って部分的に放散される。
代替的に、空気が、反対の方向に流れることも可能である。
【００１７】
図３は、本発明の第２の実施形態による電気モーターを示す。この電気モーターは、図１に示されるものに類似している。しかしながら、この実施形態においては、回路基板３２及び放熱装置１８の軸方向突出部１８６が、ファン４８に隣接した状態で配置される。また、ファン４８の直径は、放熱装置１８の基部１８２の直径より大きい。ファン４８は、シャフト４２の端部上に取り付けられ、かつ、フィン１８４の外側に配置される。モーターが動作しているとき、ファン４８により生成される気流は、固定子の隣接する歯の間に形成されたスロット、及び、固定子と回転子との間の空間を通って流れ、次に、モーターの端部から、ファン４８を通って流出する。ファンはまた、空気をフィン１８４の間で流れるようにし、これにより、回転子コア４４、磁石４６、固定子コア１２、固定子巻線１４、及びトランジスタ３３が冷却される。
上述の実施形態においては、放熱装置１８の基部１８２は、固定子コア１２の外面上に直接取り付けられる。
【００１８】
図４は、ハウジング１９が固定子コア１２の外面上に取り付けられ、放熱装置１８がハウジング１９上に取り付けられた、代替的な構成を示す。この第３の好ましい実施形態のモーターは、付加的なハウジング１９を除いて、図１のモーターと類似している。ハウジング１９は、固定子コア１２の付加的な部分と見なすことができる。ハウジング１９は、熱的及び磁気的に伝導性であり、固定子コアと放熱装置との間の熱経路の一部、並びに、固定子の磁束経路の一部を形成することが好ましい。このことは、固定子コアが分割型固定子コアであるときに特に有用である。
本発明の電気モーターは、ドリルのような電動工具に適している。
【００１９】
本出願の説明及び特許請求の範囲において、「含む（ｃｏｍｐｒｉｓｅ）」、「含む（ｃｏｎｔａｉｎ）」、「有する（ｈａｖｅ）」及びその変形は、包括的な意味で用いられており、述べられた項目の存在を指定するが、付加的な項目の存在を排除するものではない。
【００２０】
１つ又はそれ以上の好ましい実施形態を参照して本発明を説明したが、当業者であれば、種々の変更が可能であることを理解すべきである。したがって、本発明の範囲は、以下の特許請求の範囲を参照することによって決定されるべきである。
例えば、小型電子整流モーターを参照して本発明を説明したが、本発明は、サーボモーター、ステッピングモーター、及び熱を発生する電子部品を有する他のタイプの電気モーターにも適用可能である。
【符号の説明】
【００２１】
１０：固定子
１２：固定子コア
１４：固定子巻線
１６：ヨーク
１８：放熱装置
１９：ハウジング
２０、２２：端部キャップ
２４：ロック部材
３２：回路基板
３３：トランジスタ
３４：リード線
４０：回転子
４２：シャフト
４４：回転子コア
４６：磁石
４８：ファン
４９：羽根
１８２：基部
１８４：フィン
１８６：突出部
【図１】
2011244686.tif 000003
【図２】
2011244686.tif 000004
【図３】
2011244686.tif 000005
【図４】
2011244686.tif 000006
【外国語明細書】
2011244686.tif 000007
2011244686.tif 000008
2011244686.tif 000009
2011244686.tif 000010
2011244686.tif 000011
2011244686.tif 000012
2011244686.tif 000013
2011244686.tif 000014
2011244686.tif 000015
2011244686.tif 000016